(57)【要約】【課題】  本発明の目的は、ズーム操作中のフォーカス操作の誤動作防止を可能にし、撮影者の意図に即した操作を実現する撮影装置を提供することである。【解決手段】  押し引き操作により第１の可動光学部材を駆動し、回転操作により第２の可動光学部材を駆動する一軸二操作方式の操作棒を有するレンズ装置において、前記操作棒は、前記操作棒の軸周りでの回転操作による前記第２の可動光学部材の駆動の有効と無効を切替える切替え手段を有する、ことを特徴とする。【選択図】  図３
2017151374.tif 000002
【特許請求の範囲】
【請求項１】
押し引き操作により第１の可動光学部材を駆動し、回転操作により第２の可動光学部材を駆動する一軸二操作方式の操作棒を有するレンズ装置において、
前記操作棒は、前記操作棒の軸周りでの回転操作による前記第２の可動光学部材の駆動の有効と無効を切替える切替え手段を有する、
ことを特徴とするレンズ装置。
【請求項２】
前記操作棒は、操作者が把持して操作するための操作部と該操作部が接続される操作軸を有し、
前記切替え手段は、前記操作部の回転を前記操作軸の軸周りの回転として伝達するか否かを切替える切替え手段である、ことを特徴とする請求項１に記載のレンズ装置。
【請求項３】
前記切替え手段は、操作者が前記操作部を把持する力によって、前記操作部の回転を前記操作軸の軸周りの回転として伝達するか否かを切り替える手段である、ことを特徴とする請求項２に記載のレンズ装置。
【請求項４】
前記操作棒の回転を検出して、検出した回転量に応じて前記第２の可動光学部材を駆動するための駆動信号を出力する駆動制御手段を有し、
前記切替え手段は、検出された前記操作棒の回転量に応じた前記第２の可動光学部材を駆動するための駆動信号を駆動制御手段が出力するか否かを切り替える切替え手段である、ことを特徴とする請求項１に記載のレンズ装置。
【請求項５】
前記切替え手段は、前記操作部に備えられることを特徴とする請求項４に記載のレンズ装置。
【請求項６】
前記第１の可動光学部材はズームレンズであり、前記第２の可動光学部材はフォーカスレンズであることを特徴とする請求項１乃至５のいずれか１項に記載のレンズ装置。
【請求項７】
請求項１乃至６のいずれか１項に記載のレンズ装置と、該レンズ装置によって形成された光学像を受光する撮像素子とを有する撮影装置。
【発明の詳細な説明】
【技術分野】
【０００１】
本発明はレンズ装置に関し、特に、ズーミング及びフォーカシングを一つの操作棒の押し引きと回転の２つの動作で２種類の駆動対象を操作する操作形態を持つレンズ装置、特に動画撮影用のテレビカメラ用ズームレンズ及びそれを有する撮像装置に関するものである。
【背景技術】
【０００２】
テレビカメラにおけるズームレンズのズーミングとフォーカシングの操作方式のひとつに、一軸二操作方式がある。一軸二操作方式は、一つの操作棒を操作棒の軸方向へ押引き操作することでズーミングを行い、また、操作棒に具備された操作つまみを操作棒の中心軸周りに回転操作することでフォーカシングを行う方式である。例えば、特許文献１では、操作つまみにレンズまたはカメラ本体の所定の操作を行う操作部材を設けることにより、操作性を向上させるテレビカメラが開示されている。特許文献２では、誤作動防止のために電気的な不感帯を付加したレンズ装置が開示されている。
【先行技術文献】
【特許文献】
【０００３】
【特許文献１】特開２００６−７１９０１号公報
【特許文献２】特開２０１１−９０１７５号公報
【発明の概要】
【発明が解決しようとする課題】
【０００４】
上述の特許文献１に開示された従来技術では、ズームとフォーカスを同時に操作ができるため、ズーミング中に操作部材を回転方向に誤操作で回転させてしまい、誤ってフォーカシングをしてしまう恐れがある。また、上述の特許文献２に開示された従来技術では、フォーカス誤動作防止のため、あらかじめ不感帯量を設定するが、その不感帯量によっては撮影者が、フォーカシングに違和感を覚える恐れがある。特に、被写界深度が浅く、フォーカシングが難しい撮影条件において、撮影者が違和感なく撮影できる必要がある。そこで、本発明の目的は、一軸二操作方式の撮影装置において、ズーム操作中のフォーカス操作の誤動作防止を可能にし、撮影者の意図に即した操作を実現する撮影装置を提供することである。
【課題を解決するための手段】
【０００５】
上記目的を達成するために、本発明は、押し引き操作により第１の可動光学部材を駆動し、回転操作により第２の可動光学部材を駆動する一軸二操作方式の操作棒を有するレンズ装置において、前記操作棒は、前記操作棒の軸周りでの回転操作による前記第２の可動光学部材の駆動の有効と無効を切替える切替え手段を有する、ことを特徴とする。
【発明の効果】
【０００６】
本発明によれば、一軸二操作方式のテレビレンズ装置において、誤動作防止のための不感帯を設定することなくズーミング中のフォーカス誤作動を防止し、フォーカス操作の応答性を高めることができるテレビレンズ装置を提供する。
【図面の簡単な説明】
【０００７】
【図１】一軸二操作方式の操作手段を有する撮影装置での撮影形態
【図２】第一の実施例の撮影装置のブロック構成図
【図３】第一の実施例の断面図
【図４】第一の実施例の断面図
【図５】第一の実施例の断面図
【図６】第二の実施例の撮影装置のブロック構成図
【図７】第二の実施例の断面図
【図８】第二の実施例の断面図
【発明を実施するための形態】
【０００８】
以下に、本発明の好ましい実施の形態を、添付の図面に基づいて詳細に説明する。図１から図８は、本発明の実施形態に係る撮影装置である。
【実施例１】
【０００９】
以下、図１から図５を参照して、本発明の第１の実施例による撮影装置について説明する。
【００１０】
（一軸二操作方式の撮影装置）
図１は、一軸二操作方式の撮影形態を表したもので、図２は、本実施例の撮影装置のブロック構成図である。撮影者（操作者）１０４によるレンズ操作について説明する。撮影者１０４は、レンズ装置１０３に接続された操作棒１００を操作して、撮影を行う。操作棒１００は、操作つまみ部１０１と操作軸１０２から構成されており、操作つまみ部１０１を把持して操作する。レンズ装置１０３には、図示していない可動光学部材である、フォーカスレンズ部、ズームレンズ部を有している。
【００１１】
各可動光学部材は、レンズ移動群とモータを有した駆動部から構成され、レンズ制御部（駆動制御手段）１０７から制御信号（駆動信号）を受け、モータを回転することで、所望のレンズ間隔になるようにレンズ移動群が移動する。ここで、撮影者１０４が、操作つまみ部１０１を操作軸１０２の軸方向へ押したり、引いたりすると、その移動量は、レンズ装置１０３内部の直動検出部１０６により検出される。レンズ制御部１０７は、検出された移動量に基づいて不図示の駆動部であるズーム駆動手段に駆動信号を出力し、ズームレンズ部を駆動する。また、撮影者１０４が操作つまみ部１０１を操作軸１０２の軸周りに回転すると、その回転量は、レンズ装置１０３内部の回転検出部１０５により検出される。レンズ制御部１０７は、検出された回転量に基づいて不図示の駆動部であるフォーカス駆動手段に駆動信号を出力し、フォーカスレンズ部を駆動する。
【００１２】
（操作つまみ部の構成）
図３は、操作つまみ部１０１の操作軸を含む断面での断面図を示す。図４は、操作つまみ部１０１を操作軸に垂直な断面で撮影者１０４側から見た断面図を示したものである。操作つまみ部１０１は、つまみカバー１、切替え手段としての押圧部２ａ、２ｂ、２ｃ、２ｄ、押圧部止め輪３ａ、３ｂ、３ｃ、３ｄ、つまみ本体４、復帰手段としてのバネ５ａ、５ｂ、５ｃ、５ｄ、ベアリング６ａ、６ｂ、つまみ止め輪７ａ、７ｂ、伝達手段としての弾性部材８ａ、８ｂ、８ｃ、８ｄから構成されている。
【００１３】
つまみ本体４は、ベアリング６ａ、６ｂを介して操作軸１０２に対して回転可能に取付けられており、つまみ止め輪７ａ、７ｂによりスラスト方向への移動を制限されて取付けられている。つまみ本体４の内部には、押圧部２ａ、２ｂ、２ｃ、２ｄが操作軸１０２を取り囲むように配置され、押圧部止め輪３ａ、３ｂ、３ｃ、３ｄによりつまみ本体４から抜けて外れないように止められている。押圧部２ａ、２ｂ、２ｃ、２ｄは、バネ５ａ、５ｂ、５ｃ、５ｄによりつまみ本体４の中心から外周方向に寄せられている。なお、バネ５ａ、５ｂ、５ｃ、５ｄの弾性力は、少なくとも、押圧部２ａ、２ｂ、２ｃ、２ｄを外周方向に寄せることができればよい。さらに、バネ５ａ、５ｂ、５ｃ、５ｄの弾性力は、つまみ部１０１を意図せず手で触れても、外周方向に寄せている状態を維持できる程度の弾性力を有しているほうがより好ましい。押圧部２ａ、２ｂ、２ｃ、２ｄの操作軸１０２側の先端には、弾性部材８ａ、８ｂ、８ｃ、８ｄが備えられており、操作軸１０２に接触しない位置を初期状態として配置されている。つまみ本体４及び押圧部２ａ、２ｂ、２ｃ、２ｄは、つまみカバー１によって覆われており、操作つまみ部１０１の内部構造を保護している。つまみカバー１は、外周方向から押された力が押圧部２ａ、２ｂ、２ｃ、２ｄに伝達できるよう、少なくとも押圧部２ａ、２ｂ、２ｃ、２ｄと接した面は弾性部材などの変形可能な材質で形成されているとよい。
【００１４】
（フォーカス操作）
フォーカス操作時の操作つまみ部１０１とレンズ装置１０３の動作について、図５を用いて説明する。フォーカス操作時は、操作つまみ部１０１を外周方向から内周方向に向けて押しながら回転操作を行う。操作つまみ部１０１を外周方向から押すと、つまみカバー１を介して押圧部２ａ、２ｂ、２ｃ、２ｄの少なくとも一つが押される。押圧部２ａ、２ｂ、２ｃ、２ｄが押されると、弾性部材８ａ、８ｂ、８ｃ、８ｄが操作軸１０２を押圧して摩擦力が発生するため、押引き操作つまみ部１０１の回転を操作軸１０２に伝達できる。押圧部２ａ、２ｂ、２ｃ、２ｄは、押引き操作つまみ部１０１の外周部に配置されているため、フォーカスの回転位相によらず操作することができる。フォーカス操作をしたいときのみ、操作つまみ部１０１を押すことで回転操作を行うことができるので、撮影者の意図に即した操作を実現できる。
【００１５】
（ズーム操作）
ズーム操作時の操作つまみ部１０１とレンズ装置１０３の動作について、図４を用いて説明する。ズーム操作時、押圧部２ａ、２ｂ、２ｃ、２ｄは一定の弾性力で外周方向に寄せられているため、弾性部材８ａ、８ｂ、８ｃ、８ｄと操作軸１０２は接触することはない。操作軸１０２はベアリング６ａ、６ｂを介し、押引き操作つまみ部１０１に対して自由に回転する状態であるため、押引き操作つまみ部１０１の回転操作は操作軸１０２に伝わらない。したがって、ズーム操作のため、押し引き操作をした際に、誤って回転操作を行っても、フォーカスの誤動作が発生することはない。本実施例によれば、ズーム操作時のフォーカス誤操作をなくすことができるため、回転検出部１０５やレンズ制御部１０７に、電気的あるいは機械的な不感帯を設ける必要がなくなる。その結果、フォーカス操作の検出遅れをなくし、フォーカス操作の追従性を向上することもできる。
【００１６】
なお、伝達手段として、押圧部２ａ、２ｂ、２ｃ、２ｄの先端に設けられた弾性部材８ａ、８ｂ、８ｃ、８ｄを、操作軸１０２に押圧する構造のかわりに、クラッチ構造などを用いてもよい。また、弾性部材８ａ、８ｂ、８ｃ、８ｄが操作軸１０２に接触しない構造を初期状態とした構造のかわりに、弾性部材８ａ、８ｂ、８ｃ、８ｄが操作軸１０２に接触する構造を初期状態とした構造でもよい。さらに、押引き操作つまみ部１０１を外周から押している間に押圧できる構造のかわりに、一回押すとロックがかかり押圧状態が維持できる構造でもよく、フォーカシングの有効化と無効化を任意に切り替えることができる形態であれば構わない。
【実施例２】
【００１７】
以下、図６から図８を参照して、本発明の第２の実施例による、撮影装置について説明する。本実施例の形態では、押引き操作つまみ部１０１と異なる押引き操作つまみ部２０１、操作軸１０２と異なる操作軸２０２、レンズ制御部１０７と異なるレンズ制御部２０７について述べる。
【００１８】
（一軸二操作方式の撮影装置）
図６は、本実施例の撮影装置のブロック構成図を示したものである。押引き操作つまみ部２０１は、切替え検出手段としてのスイッチ１２を有している。スイッチ１２は、レンズ制御部２０７と接続しており、スイッチ１２が押されている間、レンズ制御部２０７における切替え制御手段１０８によりフォーカスレンズ部の駆動を一時的に無効とすることができる。
【００１９】
（操作つまみ部の構成）
図７は操作つまみ部２０１の拡大断面図を示したものである。
押引き操作つまみ部２０１は、つまみ本体９、切替え手段としての押圧部１０、復帰手段としてのバネ１１、スイッチ１２から構成されている。
つまみ本体９の内部には、押圧部１０が抜け止めされた状態で配置されており、バネ１１でスラスト方向に寄せられている。なお、バネ１１の弾性力は少なくとも押圧部１０を寄せることができればよい。さらに、バネ１１の弾性力は、押圧部１０を意図せず手で触れても、スラスト方向に寄せている状態を維持できる程度の弾性力を有しているほうが好ましい。つまみ本体９内部には、スイッチ１２が備えられており、押圧部１０に接触しない位置を初期状態として配置されている。
【００２０】
操作軸２０２は、つまみ本体９に直接取付けられており、つまみ本体９の回転は操作軸２０２に直接的に伝わる。操作軸２０２の先端には、電気接点１３ａ、１３ｂが設けられており、スイッチ１２と電気的な接続が保たれている。電気接点１３ａ、１３ｂを介して、スイッチ１２の信号をレンズ装置１０３とやりとりすることができる。
【００２１】
（フォーカス操作）
フォーカス操作時の押引き操作つまみ部２０１とレンズ装置１０３の動作について、図７を用いて説明する。フォーカス操作時は、つまみ本体９の外周部を握って回転操作を行う。押圧部１０が押されない限りは、フォーカスレンズ部の駆動は無効処理されることはない。押引き操作つまみ部２０１は、フォーカス操作をしたいときのみ、回転操作を行うことができるので、撮影者の意図に即した操作を実現できる。
【００２２】
（ズーム操作）
ズーム操作時の操作つまみ部２０１とレンズ装置１０３の動作について、図８を用いて説明する。ズーム操作時、押圧部１０を押しながらズーム操作を行う。押圧部１０を押すことで、スイッチ１２が押され、レンズ制御部２０７にフォーカスレンズ部の駆動を一時的に無効にする処理が伝達される。したがって、ズーム操作のため、押し引き操作をした際に、誤って回転操作を行ってもフォーカスの誤動作が発生することはない。本実施例によれば、ズーム操作時のフォーカス誤操作をなくすことができるため、回転検出部１０５やレンズ制御部２０７に、電気的あるいは機械的な不感帯を設ける必要がなくなる。その結果、フォーカス操作の検出遅れをなくし、フォーカス操作の追従性を向上することもできる。
【００２３】
本実施例において、押圧部１０を押している間、フォーカスレンズ部の駆動を一時的に無効にする処理する例を挙げた。この処理は、押した後に一時的に無効とする処理や、複数回連続して押すことで無効にする処理や、押すことでフォーカスレンズ部の駆動を一時的に有効とする処理など、フォーカシングの有効化と無効化を任意に切り替えることができる形態であれば構わない。押圧部１０の配置は、撮影者１０４に対向する面に配置する例を挙げたが、操作つまみ２０１上であれば構わない。さらに押圧部１０の配置は、操作つまみの回転位相により位置が変わらない構造が好ましい。スイッチ１２とレンズ制御部２０７との接続は、電気接点１３ａ、１３ｂを介する例を挙げたが、有線や無線などの公知の技術を用いて構わない。
【００２４】
また、上記の実施例のレンズ装置と、該レンズ装置によって形成された光学像を受光する撮像素子とを有する撮影装置を構成することにより、本発明の作用効果を享受する撮影装置を実現できる。
【００２５】
以上、本発明の好ましい実施形態について説明したが、本発明はこれらの実施形態に限定されず、その要旨の範囲内で種々の変形及び変更が可能である。
【符号の説明】
【００２６】
１００：操作棒
１０１、２０１：操作つまみ部
１０２、２０２：操作軸
１０３：レンズ装置
１０７：レンズ制御部
１０８：切替制御手段（切替え手段）
２ａ、２ｂ、２ｃ、２ｄ：押圧部（切替え手段）
８ａ、８ｂ、８ｃ、８ｄ：弾性部材（切替え手段）
９：つまみ本体
１０：押圧部（切替え手段）
１２：スイッチ（切替え手段）
【図１】
2017151374.tif 000003
【図２】
2017151374.tif 000004
【図３】
2017151374.tif 000005
【図４】
2017151374.tif 000006
【図５】
2017151374.tif 000007
【図６】
2017151374.tif 000008
【図７】
2017151374.tif 000009
【図８】
2017151374.tif 000010